(57)【要約】  第１ポール部分及び第２ポール部分を接合するための継手が提供される。この継手は、第１ポール部分に固着された雄型部分と第２ポール部分に固着された雌型部分とを包含する。雄型部分は第１雄型ガイド、第２雄型ガイド、及び第１、第２雄型ガイドの間の第１ねじ付き部分を有する。雌型部分は第１雌型ガイド、第２雌型ガイド、及び第１、第２雌型ガイドの間の第２ねじ付き部分を有する。それらのガイドは、互いに、そして、第１、第２のねじ付き部分から隔たっていて、第１の雄型ガイド、雌型ガイドが互い係合し、第２の雄型ガイド、雌型ガイドが互いに係合し、その後にねじ付き部分が互いに係合するようになっている。
2009522477.tif 000002
【特許請求の範囲】
【請求項１】
第１ポール部分と第２ポール部分を接合するための継手であって、
第１ポール部分に固着された雄型部分を包含し、この雄型部分が、第１雄型ガイド、第２雄型ガイドおよび第１、第２の雄型ガイド間にある第１ねじ付き部分を有し、また、
第２ポール部分に固着された雌型部分を包含し、この雌型部分が、第１雌型ガイド、第２雌型ガイドおよび第１、第２の雌型ガイド間にある第２ねじ付き部分を有し、
ここにおいて、第１の雄型ガイド、雌型ガイドおよび第２の雄型ガイド、雌型ガイドが、互いから、そして、第１、第２のねじ付き部分から隔たっていて、第１の雄型ガイド、雌型ガイドが互い係合し、第２の雄型ガイド、雌型ガイドが互いに係合し、その後に第１、第２のねじ付き部分が互いに係合するようになっている継手。
【請求項２】
第１雄型ガイドが、第１ねじ付き部分よりも小さな直径を有し、第２雄型ガイドが、第１ねじ付き部分よりも大きい直径を有する、請求項１に記載の継手。
【請求項３】
第２雄型ガイドが、第２ねじ付き部分よりも小さな直径を有し、第２雌型ガイドが、第２ねじ付き部分よりも大きい直径を有する、請求項１に記載の継手。
【請求項４】
第１雄型ガイドの寸法が第１雌型ガイドの寸法と同じであり、第１雄型ガイドが第１雌型ガイド内に受け入れられるようになっており、また、第２雄型ガイドの寸法が第２雌型ガイドの寸法と同じであり、第２雄型ガイドが第２雌型ガイド内に受け入れられるようになっている、  請求項１に記載の継手。
【請求項５】
第１ポール部分内で雄型部分に固着された第１水チューブと、第２ポール部分内で雌型部分に固着された第２水チューブとをさらに包含し、第１、第２のねじ付き部分が互いに螺合したときに水が流れ方向で継手を通って供給され得るようになっている、請求項１に記載の継手。
【請求項６】
第１雄型ガイドと第１雌型ガイドとの間に水密シールを形成するシーリング部材をさらに包含する、請求項５に記載の継手。
【請求項７】
雄型部分から延びている第１スリーブと、雌型部分から延びている第２スリーブとをさらに包含し、第１スリーブが第１ポール部分の一端を覆って固着されており、第２スリーブが第２ポール部分の一端を覆って固着されている、請求項１に記載の継手。
【請求項８】
第１ポール部分と第２ポール部分を接合するための継手であって、第１雄型ガイド、第２雄型ガイドおよび第１、第２の雄型ガイド間にある第１ねじ付き部分を有する雄型部分と、第１雌型ガイド、第２雌型ガイドおよび第１、第２の雌型ガイド間にある第２ねじ付き部分を有する雌型部分と、該雄型部分、雌型部分間にある水ポートと、該水ポートが該雄型部分または雌型部分のいずれかと流体連絡するように該雄型部分、雌型部分間にある水分流加減器とを包含する継手。
【請求項９】
さらに水ポートに固着された弁を包含し、この弁が、水導管に接続したときに第１ポール部分または第２ポール部分を選択的に水導管と流体連絡する状態に置くように構成してある、請求項８に記載の継手。
【請求項１０】
弁が、水導管に接続していないときに第１ポール部分または第２ポール部分から選択的に水を排出させるように構成してある、請求項９に記載の継手。
【請求項１１】
水導管が継手から所定距離のところに維持される、請求項９に記載の継手。
【請求項１２】
複数のポール部分と、これら複数のポール部分の各々の第１端に固着された雄型継手部分とを包含し、この雄型部分が、第１雄型ガイド、第２雄型ガイドおよび第１、第２の雄型ガイド間にある第１ねじ付き部分を有し、また、これら複数のポール部分の各々の第２端に固着された雌型継手部分を包含し、この雌型部分は、第１雌型ガイド、第２雌型ガイドおよび第１、第２の雌型ガイド間にある第２ねじ付き部分を有し、ここにおいて第１の雄型ガイド、雌型ガイドおよび第２の雄型ガイド、雌型ガイドが、互いから、そして、第１、第２のねじ付き部分から隔たっていて、隣接するポール部分の第１の雄型ガイド、雌型ガイドが互い係合し、第２の雄型ガイド、雌型ガイドが互いに係合し、その後に第１、第２のねじ付き部分が互いに係合するようになっている給水ポール。
【請求項１３】
雄型継手部分または雌型継手部分のいずれかに固着できる構成の掃除器具をさらに包含する、請求項１２に記載の給水ポール。
【請求項１４】
複数のポール部分の各々の中にある水チューブをさらに包含し、この水チューブが雄型、雌型継手部分に固着されている、請求項１２に記載の給水ポール。
【請求項１５】
雄型継手部分および雌型継手部分の両方を有する給水管継手をさらに包含し、この給水管継手が、１つのポール部分の該雌型継手部分と別のポール部分の該雄型継手部分に取り外し自在に接続することによって隣接したポール部分を接続するような構成となっている、請求項１４に記載の給水ポール。
【請求項１６】
給水管継手が、雄型、雌型継手部分間の水ポートと、雄型、雌型部分間にある水分流加減器とを包含し、水ポートが、該雄型継手部分または雌型継手部分のいずれかと流体連絡している、請求項１５に記載の給水ポール。
【請求項１７】
水ポートに固着された弁をさらに包含し、この弁が、水導管に接続したときに、雄型継手部分または雌型継手部分を選択的に水導管と流体連絡する状態に置くように構成してある、請求項１５に記載の給水ポール。
【請求項１８】
弁が、水導管に接続していないときに、雄型継手部分または雌型継手部分から選択的に水を排出させる構成となっている、請求項１７に記載の給水ポール。
【請求項１９】
水導管が、給水管継手から所定距離のところに維持される、請求項１７に記載の給水ポール。
【発明の詳細な説明】
【技術分野】
【０００１】
本発明は給水ポールに関する。より詳しくは、本発明は、給水ポール用の継手に関する。
【背景技術】
【０００２】
掃除のためにほぼ５階までの高さを有する建物の窓へアクセスする際には独特の問題がある。これらの建物は、普通、窓を掃除している人間が建物の頂部から吊り下げられ、窓まで降ろされるという窓掃除法を実施するには小さすぎるのである。さらに、これらの建物は、普通、窓を掃除している人間がはしごまたはその他の構造を使用し、窓まで登る窓掃除法を実施するには大きすぎるのである。
【０００３】
したがって、このような窓を掃除するためのポール式掃除法を使用するのが普通になっている。ポール式掃除法においては、一端に掃除器具を有するポールが使用される。掃除器具は、限定するつもりはないが、ブラシ、スポンジ、ワイパー・ブレード、スクレーパおよびそれらの任意組み合わせのような装置であり得る。窓を掃除するために水および／または掃除用流体（以下、「水」とする）がポールを通して掃除装置に供給される。次いで、給水ポールを用いて窓に対して掃除装置を動かし、窓を掃除することができる。
【０００４】
給水ポールは、普通、所望の長さまで互いに着脱自在に取り付けることができる５フィート長部分からなる。使用時、所望のポール長さを得、ポールへの水供給を確保するまで複数のポール部分を互いに組み立てて窓クリーナとする。窓クリーナは、組み立てたポールを直立位置へ動かし、建物の最上部にある窓の掃除を開始し、建物の底部に近づくにつれてポールの底部からポール部分を取り外して行く。このクリーナでは、組み立てポールの１つの部分を取り外そうとする毎に、まず給水源を遮断し、ポール部分を取り外してから底ポール部分へ給水源を再接続しなければならない。
【０００５】
このクリーナでは、普通、これらの作業を行っている間、組み立て済みのポールを直立状態に維持する。したがって、ポール部分と水源とを互いに分離することが容易であるかどうかが、ポールの有用性、効率に大きく影響する。さらに、組み立て済みのポールの重量もポールの有用性に影響する。ポールが重ければ重いほど、ポール部分の取り外しが難しくなるし、取り扱いも難しく、面倒になる。
【０００６】
逆に、組み立て済みのポールの高さについては、ポール部分間の確実な連結が使用中のポール部分の偶発的な分離を回避するために重要となる。
【０００７】
したがって、従来技術のポールの上記およびその他の悪影響を克服、軽減および／または緩和する給水ポール用継手を求める絶えることのない要望がある。
【発明の開示】
【発明が解決しようとする課題】
【０００８】
使いやすい給水ポール継手を提供することが本発明の目的である。
クロス・スレディングを軽減することおよび／または完全な係合または組み立てを得るためにほぼ２回転で済むようにすることによって使いやすさを向上させる継手を提供することが本発明の別の目的である。
給水ポールで給水管継手を使いやすくすることが本発明の別の目的である。
【０００９】
本発明のこれらおよび他の目的、利点は、第１ポール部分と第２ポール部分とを接合す
る継手によって達成される。この継手は、第１ポール部分に固着した雄型部分と、第２ポール部分に固着した雌型部分とを包含する。雄型部分は、第１雄型ガイド、第２雄型ガイドおよび第１、第２の雄型ガイド間にある第１ねじ付き部分を有する。雌型部分は、第１雌型ガイド、第２雌型ガイドおよび第１、第２の雌型ガイド間にある第２ねじ付き部分を有する。これらのガイドは、互いから、そして、第１、第２のねじ付き部分から隔たっており、第１の雄型ガイド、雌型ガイドが互い係合し、第２の雄型ガイド、雌型ガイドが互いに係合し、その後にねじ付き部分が互いに係合するようになっている。
【００１０】
第１ポール部分と第２ポール部分とを接合するための継手であって、雄型部分、雌型部分、水ポートおよび水分流加減器を包含する継手も提供される。雄型部分は、第１雄型ガイド、第２雄型ガイドおよび第１、第２の雄型ガイド間にある第１ねじ付き部分を有する。雌型部分は、第１雌型ガイド、第２雌型ガイドおよび第１、第２の雌型ガイド間にある第２ねじ付き部分を有する。水分流加減器は、雄型部分と雌型部分の間にあり、水ポートを雄型部分、雌型部分のいずれかと流体連絡するようになっている。
【００１１】
複数のポール部分と、これら複数のポール部分の各々の第１端に固着された雄型継手部分と、これら複数のポール部分の各々の第２端に固着された雌型継手部分とを包含する給水ポールが提供される。雄型部分は、第１雄型ガイド、第２雄型ガイドおよび第１、第２の雄型ガイド間にある第１ねじ付き部分を有する。雌型部分は、第１雌型ガイド、第２雌型ガイドおよび第１、第２の雌型ガイド間にある第２ねじ付き部分を有する。これらのガイドは、互いから、そして、ねじ付き部分から隔たっており、隣接するポール部分の第１の雄型ガイド、雌型ガイドが互い係合し、第２の雄型ガイド、雌型ガイドが互いに係合し、その後に第１、第２のねじ付き部分が互いに係合するようになっている。
【００１２】
本発明の上記および他の特徴および利点は、当業者であれば、以下の詳細な説明、図面および添付の特許請求の範囲から理解して貰えよう。
【００１３】
〔詳細な説明〕
図面、特に図１を参照して、ここには、本開示による給水ポールの例示実施形態が全体的に参照符号１０で示してある。ポール１０は、複数のポール部分１２と、掃除器具１４と、複数の継手１６と、給水管継手１８とを包含する。有利には、ポール１０は、ポール部分と給水管継手１８とのクロス・スレッディング（cross threading）を防ぎ、ポールの使いやすさを向上させる使いやすい継手１６を有する。
【００１４】
各継手１６は、雌型部分２０と雄型部分２２とを包含する。各雌型部分２０はポール部分１２の一端に固着してあり、雄型部分２２はそのポール部分の反対端に固着してある。こうして、隣接したポール部分１２の対応する雌型、雄型部分２０、２２を固着するだけで複数のポール部分１２を液漏れないように互いに着脱自在に連結することができる。継手１６は、強くて軽量の金属材料、たとえば、限定するつもりはないが、鋼、アルミニウム、チタンおよびそれらの合金で形成することができる。好ましい実施形態において、継手１６は陽極酸化処理したアルミニウムで形成してある。
【００１５】
掃除器具１４は、たとえば、限定するつもりはないが、ブラシ、スポンジ、ワイパー・ブレード、スクレーパおよびそれらの任意組み合わせを包含し得る。図示の実施形態では、掃除器具１４は掃除ブラシとして示してある。掃除器具１４は、ポール部分１２の雄型部分２２に液漏れなしに着脱自在に連結することができるように雌型部分２０を含み得る。
【００１６】
各ポール部分１２は、約１フィート（０.３０メートル）〜約１０フィート（３.０メートル）の長さ、好ましくは約２.５フィート（０.７５メートル）〜約５フィート（１.５
０メートル）およびその間の任意の副範囲内の長さであり得る。本開示のいくつかの実施形態においては、ポール部分１２は、組み立て済みのポール１０が任意の所望長さにとなり得るように或る長さの範囲とすることができる。
【００１７】
複数のポール部分１２は、ポールの全長が約２.５フィート（０.７５メートル）〜約５０フィート（１５メートル）となるように継手１６で互いに着脱自在に固着することができる。このようにして、約５階の高さまでの窓を掃除することができるように掃除器具１４を位置させるべくポール１０を使用することができる。
【００１８】
ポール１０のポール部分１２を図１〜３を参照しながら詳細に説明する。各ポール部分１２は、水チューブ２６を囲んでいる中空外殻２４を有する。中空外殻２４は、ほぼ円形の横断面を有し、エポキシ・ベースの樹脂で固化した複数の繊維を含む複合材システムで作ることができる。たとえば、外殻２４は、たとえば、限定するつもりはないが、ガラス繊維、ポリアラミド繊維、炭素繊維およびそれらの任意組み合わせのような繊維で作ることができる。外殻２４は、コア２８および外側シース３０を包含する。外側シース３０は、好ましくは、非電導性繊維で作り、ポール部分１２を非電導性にする。
【００１９】
外殻２４は、コア２８の繊維と継手の材料との間の浸食作用を防ぐに充分な材料で作った内側シース３２を包含していてもよい。好ましい実施形態においては、コア２８を炭素繊維で作り、内外のシース３０、３２をＥガラス繊維のようなガラス繊維で作ってある。外側シース３０は、コア２８を通して使用者に電気を伝達するのを阻止すると共に、外殻２４の耐久性および耐水性を向上させる。内側シース３２は、コア２８の炭素繊維と継手１６のアルミニウムとの間の電解腐食作用を防ぐ。
【００２０】
ポール部分１２は、互い違いになった補強ループ（図示せず）を包含し、ポール部分のフープ強度および輪郭変形抵抗を向上させることができる。有利には、ポール部分１２は、使いやすくするために軽量である。たとえば、各ポール部分１２は、それに固着した継手がなく、長さが約５フィート（１.５メートル）で、外径が約１.８インチ（４５ミリメートル）の場合、約１ポンド（０.４４キログラム）の重量を有する。さらに、この寸法、重量のポール部分１２は、ポール部分の両端を単純に支え、約１７５ポンド（８０キログラム）の荷重を中央にかけたときに約０.６０インチ（１５ミリメートル）の最高たわみが発生するような剛性を有する。
【００２１】
継手１６の雌型、雄型部分２０、２２は、各ポール部分１２の端３６を覆って固着したスリーブ３４を包含する。こうして、端３６を補強して継手１６によって加えられる局所的な荷重に耐えさせることができる。端３６は、好ましくは、エポキシ接着剤のような接着剤によってスリーブ３４に固着する。
【００２２】
ポール１０は、その底端にある雌型部分２０上に配置するためのボトムキャップ３８を包含していてもよい。ボトムキャップ３８は、雌型部分２０に螺合させてもよい。あるいは、ボトムキャップ３８は、スナップ嵌合によって雌型部分２０を覆ってまたはその上に固着してもよい。このようにして、ボトムキャップ３８は、ポール１０を地上に置いたときに雌型部分２０を保護することができ、及び／又はポールの底端と地面との摩擦係数を高め、ポールの滑りを軽減することもできる。
【００２３】
図３〜７を参照しながら継手１６を説明する。雌型、雄型部分２０、２２は、各々、ねじ付き部分４０、４２を包含し、雌型、雄型部分２０、２２を互いに螺合させることができるようになっている。好ましくは、ねじ付き部分４０、４２は、約１回転から約２回転で完全に螺合するような構成となっており、約１.５回転がより好ましい。このようにして、雌型、雄型部分２０、２２を有する隣接した部分１２を互いに対して約１．５回転さ
せるだけでポール部分１２を互いに対して容易に連結、分離することができる。
【００２４】
継手１６は、ねじ付き部分４０、４２のクロス・スレッディングの現象を軽減するような構成とすると有利である。雄型部分２２は、第１雄型ガイド４４と第２雄型ガイド４６とを包含し、ねじ付き部分４２が第１、第２の雄型ガイド間に構成してある。同様に、雌型部分２０は、第１雌型ガイド４８と第２雌型ガイド５０とを包含し、第１、第２の雌型ガイド間にねじ付き部分４０が構成してある。第１雄型ガイド、雌型ガイド４４、４８は、ねじ付き部分４０、４２よりも小さな直径を有する。しかしながら、第２雄型ガイド、雌型ガイド４６、５０は、ねじ付き部分４０、４２よりも大きい直径を有する。
【００２５】
第１雄型ガイド４４の寸法は第１雌型ガイド４８の寸法と同じであり、第１雄型ガイドが第１雌型ガイド内に受け入れられるようになっている。さらに、第２雄型ガイド４６の寸法は第２雌型ガイド５０の寸法と同じであり、第２雄型ガイドが第２雌型ガイド内に受け入れられるようになっている。
【００２６】
図４、５で最も良くわかるように、第１ガイド４４、４８および第２ガイド４６、５０は、互いから、そして、ねじ付き部分４０、４２から隔たっており、第１ガイドが互いに係合し、第２ガイドが互いに係合してからねじ付き部分が互い係合するようになっている。このようにして、ガイド４４、４６、４８、５０は、ねじ付き部分４０、４２が互いに螺合する前に整合するのを確実にし、ねじ付き部分が偶発的に相互スレッディングするのを防ぐ。
【００２７】
ねじ付き部分４０、４２を整合させた後、図６、７に示すように継手１６の雌型、雄型部分２０、２２が互いに螺合する。継手１６は、雌型、雄型部分２０、２２が互いに螺合したときに第１雄型ガイド、雌型ガイド４４、４８間に水密シールを形成するシーリング部材５２を包含してもよい。
【００２８】
水チューブ２６を雌型、雄型部分２０、２２に固着し、雌型、雄型部分が互いに螺合したときに継手１６を通して水を流れ方向５４に供給することができる。
【００２９】
図８〜１１を参照しながら給水管継手１８を説明する。給水管継手１８は一種の継手１６であり、水がポール１０内に送られるのを可能とすると共に、１つのポール部分の雌型部分２０と別のポール部分の雄型部分２２に着脱自在に連結することによって２つのポール部分１２を連結できるような構成となっている。
【００３０】
特に、給水管継手１８は、雌型部分１２０および雄型部分１２２を包含し、これらの部分は、継手１６の雌型、雄型部分２０、２２に関連して上述した通りのものである。説明を明確にするために、先に説明した機能に類似した機能を果す構成要素には１００を加えた同じ参照符号が付けてある。
【００３１】
雌型、雄型部分１２０、１２２は、ねじ付き部分１４０、１４２を包含する。したがって、給水管継手１８の雌型部分１２０のねじ付き部分１４０は、継手１６の雄型部分２２上のねじ付き部分４２と螺合させることができる。同様に、給水管継手１８の雄型部分１２２上のねじ付き部分１４２は、継手の雌型部分２０のねじ付き部分４０と螺合させることができる。雌型、雄型部分１２０、１２２はガイド１４４、１４６、１４８、１５０も包含し、確実にねじ付き部分４０、４２、１４０、１４２が整合した後に互いに螺合する用にしており、ねじ付き部分が偶発的にクロス・スレッディングするのを防いでいる。
【００３２】
給水管継手１８は、水分流加減器６０、ポート６２、ニップル６４および弁６６を包含する（図９）。弁６６は、水源（図示せず）と流体連絡している水導管７０に急速切り離
し部６８を介して接続することができる。したがって、弁６６を用いることで、弁が切り離し部６８を介して水源に接続したときに掃除器具１４を水源と流体連絡する状態に選択的に置くことができる。さらに、弁６６を用いて、切り離し部６８が水導管７０から分離されたときに選択的にポール１０から排水することができる。
【００３３】
水分流加減器６０は雌型、雄型部分２０、２２間で給水管継手１８内に構成してある。ポート６２は雄型部分２０と流体連絡している。水分流加減器６０は、ポート６２と雌型部分２２との間の流体連絡を阻止すると有利である。こうして、水分流加減器６０は、導管７０から流れ方向５４に給水管継手１８を通して水チューブ２６内へ水が流入するのを可能とすると共に、流れ方向と逆の方向に水が流れるのを防ぐ。
【００３４】
ニップル６４、弁６６および急速切り離し部６８を導管７０に接続することで、導管を管継手１８、したがって、ポール１０から所定距離７２のところに確実に維持することができる。導管７０をポール１０から所定距離７２のところに維持することで、導管が外れたときにポール使用者が危険を回避できることがわかっている。
【００３５】
以下、ポール１０の使用法を図１を参照しながら説明する。１つまたはそれ以上のポール部分１２を掃除器具に固着してポール１０を形成することによって掃除器具１４を所望の高さのところまで到達させることができる。ひとたびポール１０を所望の高さのところに到達させたならば、給水管継手１８を最終ポール部分１２の底端に固着し、キャップ３８を管継手におよび／または底部ポール底部分１２に固着することができる。次に、弁６６を開いて水を水源７０から掃除器具１４まで流す。
【００３６】
追加のポール部分１２を給水管継手１８の底端に固着することができるので、このポール１０により、窓掃除プロセスの効率を向上させることもできる。従来の給水ポールに関して上述したように、ポールの底部分は伝統的にポール内に水を供給するのに使用されてきた。したがって、組み立て済みのポールの１つのポール部分を取り外した時点で、まず、水の供給を断ち、ポール部分を取り外し、次いで、一番下のポール部分への水供給を再開しなければならない。
【００３７】
管継手１８を有するポール１０を使用すれば、これらの非効率性を軽減することができる。特に、給水管継手１８をポール１０内の任意の選定位置に置くことができるので、給水管継手上方のすべてのポール部分１２に水を供給すると共に、管継手下方のすべてのポール部分１２への水の供給をしないで済ませることができる。こうして、取り外す必要のあるポール１０のポール部分１２が給水ポール部分でないときには、そのポール部分のみを取り外せばよく、導管７０の分離、再接続は不要である。
【００３８】
こうして、ポール１０は、継手１６の雌型、雄型部分２０、２２を固着した１つまたはそれ以上のポール部分１２を包含する。継手１６は、雌型、雄型部分２０、２２のねじ山を整合させてクロス・スレッディング現象を阻止するという点で使用者を助ける。さらに、継手１６は１回から２回回転させるだけで雌型、雄型部分２０、２２を係合せることができ、さらにプロセスの速度を上げることができる。必要に応じて、ポール１０は給水管継手１８を包含することができる。この給水管継手は、継手１６と同じ種類のものであり、分流加減器６０およびポート６２を包含し、所望の流れ方向５４でポールに水を供給することができる。給水管継手１８の使用で、その下にポール部分１２を継ぎ足すことができ、導管７０を分離したり、再連結したりすることなくポール部分の特定の少なくともいくつかだけを取り外すことができるので、効率をさらに向上させることができる。
【００３９】
ここで、例示実施形態におけるポール１０が、各ポール部分の底部に雌型部分２０を、各ポール部分の頂部に雄型部分２２を有するものとして示してあることを認識されたい。
もちろん、ポール１０が頂部に雌型部分２０を、底部に雄型部分２２を有することも本開示では意図している。この実施形態においては、掃除器具１４は、雄型部分２２を包含し、キャップ３８がこの雄型部分上に配置する構成となっており、そして、給水管継手１８が定義される雌型部分と流体連絡するように設けたポート６２を有することになる。
【００４０】
ここで、「第１」、「第２」、「第３」、「上方」、「下方」などの用語が、さまざまな要素を修飾するのに使用することができることも了解されたい。これらの修飾は、特に説明しない限り、修飾した要素に空間的、時系列的、階層的な順序を意味するものではない。
【００４１】
本発明を１つまたはそれ以上の実施例に関して説明してきたが、当業者であれば、本発明の範囲から逸脱することなく、種々の変更を行うことができるし、均等物に代えることもできることは理解できよう。それに加えて、多くの変更修正を行って、開示の範囲から逸脱することなく、開示した教示に或る特定の状況または材料を適用することができる。したがって、本発明は、本発明を実施することを意図した最良の形態として記載した特定の実施形態に限定されることはなく、添付した特許請求の範囲に記載された本発明の範囲に含まれる全ての実施形態を含むと考える。
【図面の簡単な説明】
【００４２】
【図１】本開示による給水ポールの例示実施形態を示す。
【図２】図１のポールの、２−２線に沿った断面図である。
【図３】図１のポールと共に使用するための本開示による継手の例示実施形態の展開図である。
【図４】ねじ付き部分と係合する前の図３の継手の断面図である。
【図５】図４の円Ａに沿って切り取った、水チューブなしの図である。
【図６】ねじ付き部分と係合した後の図３の継手の断面図である。
【図７】図６の円Ｂに沿って切り取った、水チューブなしの図である。
【図８】図１のポールと共に使用するための、本開示による給水管継手の例示実施形態の展開図であり、ニップルや弁を示していない図である。
【図９】図１のポールと共に使用するための、本開示による給水管継手の例示実施形態の展開図であり、ニップルや弁を示している図である。
【図１０】ねじ付き部分と係合した後の図８の継手の断面図である。
【図１１】図１０の円Ｃに沿って切り取った、水チューブなしの図である。
【図１】
2009522477.tif 000003
【図２】
2009522477.tif 000004
【図３】
2009522477.tif 000005
【図４】
2009522477.tif 000006
【図５】
2009522477.tif 000007
【図６】
2009522477.tif 000008
【図７】
2009522477.tif 000009
【図８】
2009522477.tif 000010
【図９】
2009522477.tif 000011
【図１０】
2009522477.tif 000012
【図１１】
2009522477.tif 000013
【手続補正書】
【提出日】平成19年8月7日(2007.8.7)
【手続補正１】
【補正対象書類名】特許請求の範囲
【補正対象項目名】全文
【補正方法】変更
【補正の内容】
【特許請求の範囲】
【請求項１】
第１ポール部分と第２ポール部分を接合するための継手であって、
第１ポール部分に固着された雄型部分を包含し、この雄型部分が、第１雄型ガイド、第２雄型ガイドおよび第１、第２の雄型ガイド間にある第１ねじ付き部分を有し、また、
第２ポール部分に固着された雌型部分を包含し、この雌型部分が、第１雌型ガイド、第２雌型ガイドおよび第１、第２の雌型ガイド間にある第２ねじ付き部分を有し、
ここにおいて、第１の雄型ガイド、雌型ガイドおよび第２の雄型ガイド、雌型ガイドが、互いから、そして、第１、第２のねじ付き部分から隔たっていて、第１の雄型ガイド、雌型ガイドが互い係合し、第２の雄型ガイド、雌型ガイドが互いに係合し、その後に第１、第２のねじ付き部分が互いに係合するようになっている継手。
【請求項２】
第１雄型ガイドが、第１ねじ付き部分よりも小さな直径を有し、第２雄型ガイドが、第１ねじ付き部分よりも大きい直径を有する、請求項１に記載の継手。
【請求項３】
第２雄型ガイドが、第２ねじ付き部分よりも小さな直径を有し、第２雌型ガイドが、第２ねじ付き部分よりも大きい直径を有する、請求項１に記載の継手。
【請求項４】
第１雄型ガイドの寸法が第１雌型ガイドの寸法と同じであり、第１雄型ガイドが第１雌型ガイド内に受け入れられるようになっており、また、第２雄型ガイドの寸法が第２雌型ガイドの寸法と同じであり、第２雄型ガイドが第２雌型ガイド内に受け入れられるようになっている、請求項１に記載の継手。
【請求項５】
第１ポール部分と第２ポール部分を接合するための継手であって、
第１ポール部分に固着された雄型部分を包含し、この雄型部分が、第１雄型ガイド、第２雄型ガイドおよび第１、第２の雄型ガイド間にある第１ねじ付き部分を有し、また、
第２ポール部分に固着された雌型部分を包含し、この雌型部分が、第１雌型ガイド、第２雌型ガイドおよび第１、第２の雌型ガイド間にある第２ねじ付き部分を有し、
ここにおいて第１の雄型ガイド、雌型ガイドおよび第２の雄型ガイド、雌型ガイドが、
互いから、そして、第１、第２のねじ付き部分から隔たっていて、第１の雄型ガイド、雌型ガイドが互い係合し、第２の雄型ガイド、雌型ガイドが互いに係合し、その後に第１、第２のねじ付き部分が互いに係合するようになっており、そして、第１ポール部分内で該雄型部分に固着された第１水チューブと、第２ポール部分内で該雌型部分に固着された第２水チューブとを包含し、第１、第２のねじ付き部分が互いに螺合したときに水が流れ方向で継手を通って供給され得るようになっている継手。
【請求項６】
第１雄型ガイドと第１雌型ガイドとの間に水密シールを形成するシーリング部材をさらに包含する、請求項５に記載の継手。
【請求項７】
第１ポール部分と第２ポール部分を接合するための継手であって、
第１ポール部分に固着された雄型部分を包含し、この雄型部分が、第１雄型ガイド、第２雄型ガイドおよび第１、第２の雄型ガイド間にある第１ねじ付き部分を有し、また、
第２ポール部分に固着された雌型部分を包含し、この雌型部分が、第１雌型ガイド、第２雌型ガイドおよび第１、第２の雌型ガイド間にある第２ねじ付き部分を有し、
ここにおいて第１の雄型ガイド、雌型ガイドおよび第２の雄型ガイド、雌型ガイドが、互いから、そして、第１、第２のねじ付き部分から隔たっていて、第１の雄型ガイド、雌型ガイドが互い係合し、第２の雄型ガイド、雌型ガイドが互いに係合し、その後に第１、第２のねじ付き部分が互いに係合するようになっており、そして、該雄型部分から延びている第１スリーブと、該雌型部分から延びている第２スリーブとを包含し、第１スリーブが第１ポール部分の一端を覆って固着されており、第２スリーブが第２ポール部分の一端を覆って固着されている継手。
【請求項８】
第１ポール部分と第２ポール部分を接合するための継手であって、第１雄型ガイド、第２雄型ガイドおよび第１、第２の雄型ガイド間にある第１ねじ付き部分を有する雄型部分と、第１雌型ガイド、第２雌型ガイドおよび第１、第２の雌型ガイド間にある第２ねじ付き部分を有する雌型部分と、該雄型部分、雌型部分間にある水ポートと、該水ポートが該雄型部分または雌型部分のいずれかと流体連絡するように該雄型部分、雌型部分間にある水分流加減器とを包含する継手。
【請求項９】
さらに水ポートに固着された弁を包含し、この弁が、水導管に接続したときに第１ポール部分または第２ポール部分を選択的に水導管と流体連絡する状態に置くように構成してある、請求項８に記載の継手。
【請求項１０】
弁が、水導管に接続していないときに第１ポール部分または第２ポール部分から選択的に水を排出させるように構成してある、請求項９に記載の継手。
【請求項１１】
水導管が継手から所定距離のところに維持される、請求項９に記載の継手。
【請求項１２】
複数のポール部分と、これら複数のポール部分の各々の第１端に固着された雄型継手部分とを包含し、この雄型部分が、第１雄型ガイド、第２雄型ガイドおよび第１、第２の雄型ガイド間にある第１ねじ付き部分を有し、また、これら複数のポール部分の各々の第２端に固着された雌型継手部分を包含し、この雌型部分は、第１雌型ガイド、第２雌型ガイドおよび第１、第２の雌型ガイド間にある第２ねじ付き部分を有し、ここにおいて第１の雄型ガイド、雌型ガイドおよび第２の雄型ガイド、雌型ガイドが、互いから、そして、第１、第２のねじ付き部分から隔たっていて、隣接するポール部分の第１の雄型ガイド、雌型ガイドが互い係合し、第２の雄型ガイド、雌型ガイドが互いに係合し、その後に第１、第２のねじ付き部分が互いに係合するようになっている給水ポール。
【請求項１３】
雄型継手部分または雌型継手部分のいずれかに固着できる構成の掃除器具をさらに包含
する、請求項１２に記載の給水ポール。
【請求項１４】
複数のポール部分の各々の中にある水チューブをさらに包含し、この水チューブが雄型、雌型継手部分に固着されている、請求項１２に記載の給水ポール。
【請求項１５】
雄型継手部分および雌型継手部分の両方を有する給水管継手をさらに包含し、この給水管継手が、１つのポール部分の該雌型継手部分と別のポール部分の該雄型継手部分に取り外し自在に接続することによって前記隣接したポール部分を接続するような構成となっている、請求項１４に記載の給水ポール。
【請求項１６】
給水管継手が、雄型、雌型継手部分間の水ポートと、雄型、雌型部分間にある水分流加減器とを包含し、水ポートが、該雄型継手部分または雌型継手部分のいずれかと流体連絡している、請求項１５に記載の給水ポール。
【請求項１７】
水ポートに固着された弁をさらに包含し、この弁が、水導管に接続したときに、雄型継手部分または雌型継手部分を選択的に水導管と流体連絡する状態に置くように構成してある、請求項１５に記載の給水ポール。
【請求項１８】
弁が、水導管に接続していないときに、雄型継手部分または雌型継手部分から選択的に水を排出させる構成となっている、請求項１７に記載の給水ポール。
【請求項１９】
水導管が、給水管継手から所定距離のところに維持される、請求項１７に記載の給水ポール。
【国際調査報告】
2009522477.tif 000014